(57)【要約】【課題】電源ユニットを持つオプション装置を使う際の、画像形成装置の構成の簡易化を実現すること。【解決手段】画像形成装置は、当該画像形成装置を制御する装置制御部５０と、装置制御部５０に供給する制御用電圧（３．３Ｖ）と、画像形成部に供給する装置駆動用電圧（２４Ｖ）とを生成する装置電源２０と、を含む。オプション装置７０は、画像形成部と連携して駆動される駆動負荷７３と、駆動負荷７３に供給するオプション駆動用電圧（２４Ｖ）を生成するオプション電源７２と、オプション装置７０を制御するオプション制御部７１であって、電源線ＳＬ１を介して装置電源２０から制御用電圧を供給されるオプション制御部７１とを含む。オプション制御部７１は、装置電源２０の起動に応じて起動した後、オプション電源７２を起動するオプション電源起動信号をオプション電源７２に送信するオプション電源起動処理を実行する。【選択図】図２
2015182285.tif 000002
【特許請求の範囲】
【請求項１】
画像形成装置と、
オプション装置と、
前記画像形成装置と前記オプション装置とを接続する電源線と、
を備え、
前記画像形成装置は、
当該画像形成装置を制御する装置制御部と、
画像形成部と、
前記装置制御部に供給する制御用電圧と、前記画像形成部に供給する装置駆動用電圧とを生成する装置電源と、を含み、
前記オプション装置は、
前記画像形成部と連携して駆動される駆動負荷と、
前記駆動負荷に供給するオプション駆動用電圧を生成するオプション電源と、
前記オプション装置を制御するオプション制御部であって、前記電源線を介して前記装置電源から前記制御用電圧を供給されるオプション制御部と、を含み、
前記オプション制御部は、
前記装置電源の起動に応じて起動した後、前記オプション電源の動作状態を切替えるオプション電源切替信号を前記オプション電源に送信するオプション電源切替処理を実行する、画像形成システム。
【請求項２】
請求項１に記載の画像形成システムにおいて、
前記画像形成装置と前記オプション装置とを接続する通信線を備え、
前記装置制御部は、
前記装置電源の起動に応じて起動した後、前記通信線を介して、前記オプション制御部を起動するオプション制御部起動信号を前記オプション制御部に送信するオプション制御部起動処理を実行する、画像形成システム。
【請求項３】
請求項２に記載の画像形成システムにおいて、
前記オプション制御部は、前記オプション電源切替処理において、前記オプション制御部起動信号の受信に応じて起動した後、前記オプション電源切替信号として前記オプション電源を起動するオプション電源起動信号を前記オプション電源に送信する、画像形成システム。
【請求項４】
請求項３に記載の画像形成システムにおいて、
前記オプション制御部は、前記通信線を介して、当該オプション制御部が起動したことを示す起動完了信号を前記装置制御部に送信する起動完了処理を実行する、画像形成システム。
【請求項５】
請求項４に記載の画像形成システムにおいて、
前記装置制御部は、前記起動完了信号の受信に応じて、前記通信線を介して、電源起動許可信号を前記オプション制御部に送信する起動許可処理を実行し、
前記オプション制御部は、前記オプション電源切替処理において、前記電源起動許可信号の受信に応じて、前記オプション電源起動信号を前記オプション電源に送信する、画像形成システム。
【請求項６】
請求項２から請求項５のいずれか一項に記載の画像形成システムにおいて、
前記画像形成装置は、
電源スイッチと、
前記装置電源の起動状態にかかわらず、前記装置制御部に電力を供給する補助電源と、を備え、
前記装置制御部は、
前記電源スイッチの押下を検出する押下検出処理と、
前記押下検出処理において、前記電源スイッチのオンを検出する場合、前記装置電源を起動する装置電源起動信号を前記装置電源に送信する装置電源起動処理を実行する、画像形成システム。
【請求項７】
請求項６に記載の画像形成システムにおいて、
前記装置制御部は、前記装置電源を制御する電源制御ＩＣと、前記装置電源以外を制御する装置制御ＩＣとを含み、
前記補助電源は、前記装置電源の起動状態にかかわらず、前記電源制御ＩＣに電力を供給し、
前記装置電源は、前記制御用電圧を前記装置制御ＩＣに供給し、
前記電源制御ＩＣは、前記押下検出処理と、前記装置電源起動処理と、を実行する、画像形成システム。
【請求項８】
請求項７に記載の画像形成システムにおいて、
前記電源制御ＩＣは、
前記押下検出処理において、前記電源スイッチのオフを検出する場合、前記電源スイッチが押下されたことを示す押下信号を前記装置制御ＩＣに送信する押下信号送信処理を実行し、
前記装置制御ＩＣは、
前記押下信号の受信に応じて、前記通信線を介して、電源起動停止信号を前記オプション制御部に送信する起動停止処理を実行し、
前記オプション制御部は、
前記オプション電源切替処理において、前記電源起動停止信号の受信に応じて、前記オプション電源切替信号として前記オプション電源を停止するオプション電源停止信号を前記オプション電源に送信する、画像形成システム。
【請求項９】
請求項８に記載の画像形成システムにおいて、
前記オプション制御部は、
前記オプション電源停止信号を受信した前記オプション電源の停止に応じて、前記通信線を介して、前記オプション電源が停止したことを示す停止完了信号を前記装置制御ＩＣに送信する停止完了処理を実行し、
前記装置制御ＩＣは、
前記停止完了信号の受信に応じて、前記装置電源を停止する第１装置電源停止信号を前記電源制御ＩＣに送信する第１装置電源停止処理を実行し、
前記電源制御ＩＣは、
前記第１装置電源停止信号の受信に応じて、第２装置電源停止信号を前記装置電源に送信する第２装置電源停止処理を実行する、画像形成システム。
【請求項１０】
請求項２から請求項６のいずれか一項に記載の画像形成システムにおいて、
前記装置制御部は、
前記画像形成部によりシートに画像を形成する画像形成処理と、
前記画像形成処理を終了した後、前記通信線を介して、スリープ移行信号を前記オプション制御部に送信するスリープ移行処理と、を実行し、
前記オプション制御部は、
前記オプション電源切替処理において、前記スリープ移行信号の受信に応じて、前記オプション電源切替信号として前記オプション電源を停止するオプション電源停止信号を前記オプション電源に送信する、画像形成システム。
【請求項１１】
請求項１０に記載の画像形成システムにおいて、
前記オプション制御部は、
前記オプション電源停止信号を受信した前記オプション電源の停止に応じて、前記通信線を介して、前記オプション電源が停止したことを示す停止完了信号を前記装置制御部に送信する停止完了処理を実行し、
前記装置制御部は、
前記停止完了信号の受信に応じて、前記画像形成処理を実行中の前記画像形成装置において消費される電力よりも低い電力で、前記画像形成装置を制御する低消費駆動処理を実行する、画像形成システム。
【請求項１２】
請求項１１に記載の画像形成システムにおいて、
前記装置制御部は、
前記通信線を介して、前記低消費駆動処理を終了する電力復帰信号を前記オプション制御部に送信する電力復帰処理を実行し、
前記オプション制御部は、
前記オプション電源切替処理において、前記電力復帰信号の受信に応じて、前記オプション電源切替信号として前記オプション電源を起動するオプション電源起動信号を前記オプション電源に送信する、画像形成システム。
【請求項１３】
請求項１２に記載の画像形成システムにおいて、
前記装置制御部は、
前記低消費駆動処理を実行中に前記画像形成処理を実行する要求を受信した場合、前記電力復帰処理を実行する、画像形成システム。
【請求項１４】
請求項１から請求項１３のいずれか一項に記載の画像形成システムにおいて、
前記装置制御部は、前記オプション制御部からの信号によって、前記オプション装置が、前記オプション電源を有する電源付きオプション装置か、前記オプション電源を有さない電源無しオプション装置かを識別する識別処理を実行する、画像形成システム。
【請求項１５】
請求項１から請求項１４のいずれか一項に記載の画像形成システムにおいて、
前記画像形成装置と前記オプション装置とを接続する専用電源コードを備え、
前記オプション装置は、プラグ付き電源コードを備え、
当該画像形成システムを使用する際、前記プラグ付き電源コードが交流電源に接続され、前記画像形成装置は前記専用電源コードを介して交流電源に接続される、画像形成システム。
【請求項１６】
請求項１から請求項１５のいずれか一項に記載の画像形成システムにおいて、
前記画像形成装置は、前記駆動用電圧を、前記オプション電源を有さない電源無しオプション装置に出力する電圧出力端子を有し、
前記装置電源は、電源容量として、少なくとも、前記電源無しオプション装置を駆動する電源容量を有する、画像形成システム。
【請求項１７】
請求項１から請求項１６のいずれか一項に記載の画像形成システムにおいて、
前記オプション装置は、多段に設置される複数の給紙トレイを有するタワートレイによって構成される、画像形成システム。
【請求項１８】
請求項１７に記載の画像形成システムにおいて、
前記オプション電源の電源容量は、前記複数の給紙トレイの内、少なくとも一個の給紙トレイを駆動する電源容量に設定される、画像形成システム。
【請求項１９】
請求項１７または請求項１８に記載の画像形成システムにおいて、
前記駆動負荷は、給紙モータおよびソレノイドを含み、
前記オプション制御部は、前記画像形成部と連携して前記給紙モータおよびソレノイドの駆動を制御する、画像形成システム。
【請求項２０】
駆動負荷を駆動するオプション駆動用電圧を生成するオプション電源と、前記オプション電源を起動するオプション制御部とを有するオプション装置が、電源線と通信線によって接続される画像形成装置において、
当該画像形成装置を制御する装置制御部と、
画像形成部と、
前記装置制御部、および前記電源線を介して前記オプション装置に供給する制御用電圧と、前記画像形成部に供給する装置駆動用電圧とを生成する装置電源と、を備え、
前記装置制御部は、
前記装置電源の起動に応じて起動した後、前記通信線を介して、前記オプション制御部を起動するオプション制御部起動信号を、前記オプション装置に送信するオプション制御部起動処理と、
前記オプション制御部起動信号の送信後、前記通信線を介して、前記オプション電源の動作状態の切替えを指示する切替指示信号を前記オプション装置に送信するオプション電源切替処理と、を実行する、画像形成装置。
【請求項２１】
画像形成装置に電源線によって接続されるオプション装置であって、
前記画像形成装置と連携して駆動される駆動負荷と、
前記駆動負荷を駆動する電圧を前記駆動負荷に供給するオプション電源と、
オプション制御部と、を備え、
前記オプション制御部は、
前記画像形成装置から前記電源線を介して電圧を供給されて起動した後、前記オプション電源の動作状態を切替えるオプション電源切替信号を前記オプション電源に送信するオプション電源切替処理を実行する、オプション装置。
【発明の詳細な説明】
【技術分野】
【０００１】
本発明は画像形成システム、画像形成装置、および、画像形成装置のオプション装置に関し、詳しくは、画像形成装置とそのオプション装置とを接続する技術に関する。
【背景技術】
【０００２】
従来、画像形成装置とそのオプション装置とを接続する技術が、例えば、特許文献１に開示されている。そこでは、画像形成装置としてのプリンタ、オプション装置それぞれに電源ユニット（装置電源、オプション電源）を有し、プリンタ電源がオンされるとプリンタのＣＰＵ（装置制御部）がプリンタの内部の初期化を行う。次いで、一定時間後、プリンタのＣＰＵが専用の電源制御通信線を介してオプション装置の電源ユニットに電源オン信号を出力し、オプション装置の電源ユニットがオンされる。そして、オプション装置のＣＰＵ（オプション制御部）がオプション装置の内部の初期化を行う技術が開示されている。
【先行技術文献】
【特許文献】
【０００３】
【特許文献１】特開２０００−３３９２６５号公報
【発明の概要】
【発明が解決しようとする課題】
【０００４】
しかしながら、電源ユニットを持たないオプション装置を使う場合には電源制御通信線は不要であるのに、電源ユニットを持つオプション装置を使う場合のために、電源制御通信線を備えておく必要があった。
【０００５】
本発明は、電源ユニットを有するオプション装置を使う際の、画像形成装置の構成の簡易化を実現する術を提供するものである。
【課題を解決するための手段】
【０００６】
本明細書によって開示される画像形成システムは、画像形成装置と、オプション装置と、前記画像形成装置と前記オプション装置とを接続する電源線と、を備え、前記画像形成装置は、当該画像形成装置を制御する装置制御部と、画像形成部と、前記装置制御部に供給する制御用電圧と、前記画像形成部に供給する装置駆動用電圧とを生成する装置電源と、を含み、前記オプション装置は、前記画像形成部と連携して駆動される駆動負荷と、前記駆動負荷に供給するオプション駆動用電圧を生成するオプション電源と、前記オプション装置を制御するオプション制御部であって、前記電源線を介して前記装置電源から前記制御用電圧を供給されるオプション制御部と、を含み、前記オプション制御部は、前記装置電源の起動に応じて起動した後、前記オプション電源の動作状態を切替えるオプション電源切替信号を前記オプション電源に送信するオプション電源切替処理を実行する。
本構成によれば、画像形成装置からオプション制御部に、電源線を介して制御用電圧を供給し、オプション制御部によって、オプション電源の動作状態を切替えることができる。すなわち、専用の接続線で画像形成装置とオプション装置とを接続することなく、オプション電源の動作状態を切替えることができる。それによって、オプション電源を有するオプション装置を使う際の、画像形成装置の構成の簡易化を実現できる。
【０００７】
上記画像形成システムにおいて、前記画像形成装置と前記オプション装置とを接続する通信線を備え、前記装置制御部は、前記装置電源の起動に応じて起動した後、前記通信線を介して、前記オプション制御部を起動するオプション制御部起動信号を前記オプション制御部に送信するオプション制御部起動処理を実行するようにしてもよい。
本構成によれば、装置制御部が起動したタイミングでオプション電源を起動することができる。
【０００８】
また、上記画像形成システムにおいて、前記オプション制御部は、前記オプション電源切替処理において、前記オプション制御部起動信号の受信に応じて起動した後、前記オプション電源切替信号として前記オプション電源を起動するオプション電源起動信号を前記オプション電源に送信するようにしてもよい。
本構成によれば、オプション制御部が起動したタイミングでオプション電源を起動することができる。
【０００９】
また、上記画像形成システムにおいて、前記オプション制御部は、前記通信線を介して、当該オプション制御部が起動したことを示す起動完了信号を前記装置制御部に送信する起動完了処理を実行するようにしてもよい。  
本構成によれば、装置制御部が、オプション制御部が起動したことを把握できる。
【００１０】
また、上記画像形成システムにおいて、前記装置制御部は、前記起動完了信号の受信に応じて、前記通信線を介して、電源起動許可信号を前記オプション制御部に送信する起動許可処理を実行し、前記オプション制御部は、前記オプション電源切替処理において、前記電源起動許可信号の受信に応じて、前記オプション電源起動信号を前記オプション電源に送信するようにしてもよい。
本構成によれば、オプション制御部自身の起動を確認してから、オプション電源が起動されるため、オプション電源の起動の信頼性が向上する。
【００１１】
また、上記画像形成システムにおいて、電源スイッチと、前記装置電源の起動状態にかかわらず、前記装置制御部に電力を供給する補助電源と、を備え、前記装置制御部は、前記電源スイッチの押下を検出する押下検出処理と、前記押下検出処理において、前記電源スイッチのオンを検出する場合、前記装置電源を起動する装置電源起動信号を前記装置電源に送信する装置電源起動処理を実行するようにしてもよい。
本構成によれば、装置電源が起動していなくても電源スイッチのオンを検出することができるので、装置電源が起動していないと電源スイッチのオンを検出することができない構成に比べて省電力であり、また、画像形成装置の有する電源スイッチをオンすることで、オプション装置のオプション電源を起動することができる。
【００１２】
また、上記画像形成システムにおいて、前記装置制御部は、前記装置電源を制御する電源制御ＩＣと、前記装置電源以外を制御する装置制御ＩＣとを含み、前記補助電源は、前記装置電源の起動状態にかかわらず、前記電源制御ＩＣに電力を供給し、前記装置電源は、前記制御用電圧を前記装置制御ＩＣに供給し、前記電源制御ＩＣは、前記押下検出処理と、前記装置電源起動処理と、を実行するようにしてもよい。
本構成によれば、装置電源を起動しなくても、電源制御ＩＣを動作させることができる。また、装置電源が起動する前に装置制御ＩＣが起動するのを抑制することができる。
【００１３】
また、上記画像形成システムにおいて、前記電源制御ＩＣは、前記押下検出処理において、前記電源スイッチのオフを検出する場合、前記電源スイッチが押下されたことを示す押下信号を前記装置制御ＩＣに送信する押下信号送信処理を実行し、前記装置制御ＩＣは、前記押下信号の受信に応じて、前記通信線を介して、電源起動停止信号を前記オプション制御部に送信する起動停止処理を実行し、前記オプション制御部は、前記オプション電源切替処理において、前記電源起動停止信号の受信に応じて、前記オプション電源切替信号として前記オプション電源を停止するオプション電源停止信号を前記オプション電源に送信するようにしてもよい。
本構成によれば、電源スイッチのオフを検出する場合、オプション制御部を介してオプション電源を停止することができる。それによって、オプション装置の電力消費を低減できる。
【００１４】
また、上記画像形成システムにおいて、前記オプション制御部は、前記オプション電源停止信号を受信した前記オプション電源の停止に応じて、前記通信線を介して、前記オプション電源が停止したことを示す停止完了信号を前記装置制御ＩＣに送信する停止完了処理を実行し、前記装置制御ＩＣは、前記停止完了信号の受信に応じて、前記装置電源を停止する第１装置電源停止信号を前記電源制御ＩＣに送信する第１装置電源停止処理を実行し、前記電源制御ＩＣは、前記第１装置電源停止信号の受信に応じて、第２装置電源停止信号を前記装置電源に送信する第２装置電源停止処理を実行するようにしてもよい。
本構成によれば、オプション電源の停止を確認してから、装置電源を停止できる。
【００１５】
また、上記画像形成システムにおいて、前記装置制御部は、前記画像形成部によりシートに画像を形成する画像形成処理と、前記画像形成処理を終了した後、前記通信線を介して、スリープ移行信号を前記オプション制御部に送信するスリープ移行処理と、を実行し、前記オプション制御部は、前記オプション電源切替処理において、前記スリープ移行信号の受信に応じて、前記オプション電源切替信号として前記オプション電源を停止するオプション電源停止信号を前記オプション電源に送信するようにしてもよい。
本構成によれば、画像形成処理を終了した後、オプション制御部を介してオプション電源を停止することができる。オプション装置の電力消費を低減できる。
【００１６】
また、上記画像形成システムにおいて、前記オプション制御部は、前記オプション電源停止信号を受信した前記オプション電源の停止に応じて、前記通信線を介して、前記オプション電源が停止したことを示す停止完了信号を前記装置制御部に送信する停止完了処理を実行し、前記装置制御部は、前記停止完了信号の受信に応じて、前記画像形成処理を実行中の前記画像形成装置において消費される電力よりも低い電力で、前記画像形成装置を制御する低消費駆動処理を実行するようにしてもよい。
本構成によれば、オプション電源の停止を確認してから、スリープモード等の低消費駆動処理を実行できる。
【００１７】
また、上記画像形成システムにおいて、前記装置制御部は、前記通信線を介して、前記低消費駆動処理を終了する電力復帰信号を前記オプション制御部に送信する電力復帰処理を実行し、前記オプション制御部は、前記オプション電源切替処理において、前記電力復帰信号の受信に応じて、前記オプション電源切替信号として前記オプション電源を起動するオプション電源起動信号を前記オプション電源に送信するようにしてもよい。
本構成によれば、通常の消費電力に復帰するタイミングでオプション電源を起動することができる。
【００１８】
また、上記画像形成システムにおいて、前記装置制御部は、前記低消費駆動処理を実行中に前記画像形成処理を実行する要求を受信した場合、前記電力復帰処理を実行するようにしてもよい。
本構成によれば、画像形成処理を実行する要求の受信に応じて、即座に画像形成処理を実行できる。
【００１９】
また、上記画像形成システムにおいて、前記装置制御部は、前記オプション制御部からの信号によって、前記オプション装置が、前記オプション電源を有する電源付きオプション装置か、前記オプション電源を有さない電源無しオプション装置かを識別する識別処理を実行するようにしてもよい。
本構成によれば、オプション装置が負荷駆動用電圧を生成する電源（オプション電源）を有するか否かを簡易に識別できる。
【００２０】
また、上記画像形成システムにおいて、前記画像形成装置と前記オプション装置とを接続する専用電源コードを備え、前記オプション装置は、プラグ付き電源コードを備え、当該画像形成システムを使用する際、前記プラグ付き電源コードが交流電源に接続され、前記画像形成装置は前記専用電源コードを介して交流電源に接続されるようにしてもよい。
本構成によれば、画像形成システムを交流電源へ接続する際の、電源コードの引き回しが簡易化される。
【００２１】
また、上記画像形成システムにおいて、前記画像形成装置は、前記駆動用電圧を、前記オプション電源を有さない電源無しオプション装置に出力する電圧出力端子を有し、前記装置電源は、電源容量として、少なくとも、前記電源無しオプション装置を駆動する電源容量を有するようにしてもよい。
本構成によれば、装置電源によって、オプション電源を有さないオプション装置にも対応できる。
【００２２】
また、上記画像形成システムにおいて、前記オプション装置は、多段に設置される複数の給紙トレイを有するタワートレイによって構成されるようにしてもよい。
本構成によれば、オプション装置としてオプション電源を有するタワートレイを使用する際の、画像形成装置の構成を簡略化できる。
【００２３】
また、上記画像形成システムにおいて、前記オプション電源の電源容量は、前記複数の給紙トレイの内、少なくとも一個の給紙トレイを駆動する電源容量に設定されるようにしてもよい。
複数の給紙トレイが同時に動くことは無いため、本構成のように、オプション電源の電源容量を、少なくとも一個の給紙トレイを駆動する電源容量に設定することによって、オプション装置を省電力化できる。
【００２４】
また、上記画像形成システムにおいて、前記駆動負荷は、給紙モータおよびソレノイドを含み、前記オプション制御部は、前記画像形成部と連携して前記給紙モータおよびソレノイドの駆動を制御するようにしてもよい。
本構成によれば、装置制御部の制御負荷を低減できる。
【００２５】
また、本明細書によって開示され画像形成装置は、駆動負荷を駆動するオプション駆動用電圧を生成するオプション電源と、前記オプション電源を起動するオプション制御部とを有するオプション装置が、電源線と通信線によって接続される画像形成装置において、当該画像形成装置を制御する装置制御部と、画像形成部と、前記装置制御部、および前記電源線を介して前記オプション装置に供給する制御用電圧と、前記画像形成部に供給する装置駆動用電圧とを生成する装置電源と、を備え、前記装置制御部は、前記装置電源の起動に応じて起動した後、前記通信線を介して、前記オプション制御部を起動するオプション制御部起動信号を、前記オプション装置に送信するオプション制御部起動処理と、前記オプション制御部起動信号の送信後、前記通信線を介して、前記オプション電源の動作状態の切替えを指示する切替指示信号を前記オプション装置に送信するオプション電源切替処理と、を実行する。
本構成によれば、画像形成装置からオプション制御部に、電源線を介して制御用電圧を供給し、オプション制御部によって、オプション電源の動作状態を切替えることができる。すなわち、専用の接続線で画像形成装置とオプション装置とを接続することなく、オプション電源の動作状態を切替えることができる。それによって、オプション電源を有するオプション装置を使う際の、画像形成装置の構成の簡易化を実現できる。
【００２６】
また、本明細書によって開示されるオプション装置は、画像形成装置に電源線によって接続されるオプション装置であって、前記画像形成装置と連携して駆動される駆動負荷と、前記駆動負荷を駆動する電圧を前記駆動負荷に供給するオプション電源と、オプション制御部と、を備え、前記オプション制御部は、前記画像形成装置から前記電源線を介して電圧を供給されて起動した後、前記オプション電源の動作状態を切替えるオプション電源切替信号を前記オプション電源に送信するオプション電源切替処理を実行する。
本構成によれば、オプション制御部は、画像形成装置から電源線を介して制御用電圧が供給され起動し、起動されたオプション制御部によって、オプション電源の動作状態を切替えることができる。そのため、専用の接続線でオプション装置と画像形成装置とを接続することなく、オプション電源の動作状態を切替えることができる。それによって、オプション電源を有するオプション装置を使う際の、画像形成装置の構成の簡易化を実現できる。
【発明の効果】
【００２７】
本発明によれば、電源ユニットを有するオプション装置を使う際の、画像形成装置の構成の簡易化を実現することができる。
【図面の簡単な説明】
【００２８】
【図１】一実施形態に係るプリンタシステムの構成を概略的に示すブロック図
【図２】プリンタシステムの電源に係る構成を概略的に示すブロック図
【図３】電源に係る構成を概略的に示す回路図
【図４】電源投入時の電源制御シーケンスを示すフローチャート
【図５】電源オフ時の電源制御シーケンスを示すフローチャート
【図６】電源投入時および電源オフ時の各信号の推移を示すタイムチャート
【図７】プリンタのモード移行に関連する電源制御シーケンスを示すフローチャート
【発明を実施するための形態】
【００２９】
＜実施形態＞
一実施形態について図１から図７を参照して説明する。
【００３０】
１．プリンタシステムの説明
図１に示すように、プリンタシステム１００は、プリンタ１およびタワートレイ７０を含む。プリンタシステム１００は画像形成システムの一例であり、プリンタ１は、画像形成装置の一例であり、タワートレイ７０は、オプション装置の一例である。なお、画像形成装置はプリンタに限られず、例えば、コピー機、スキャナー、あるいは複合機であってもよい。
【００３１】
また、プリンタシステム１００は、プリンタ１とタワートレイ７０とを接続する、電源線ＳＬ１および複数の通信線（ＣＬ１−ＣＬ３）を含む。電源線ＳＬ１は、プリンタ１に設けられた制御用電圧出力端子８とタワートレイ７０に設けられた接続端子７６とを接続する。また、複数の通信線（ＣＬ１−ＣＬ３）は、プリンタ１に設けられた通信用端子とタワートレイ７０に設けられた通信用端子とを接続する。
【００３２】
１−１．プリンタの構成
図１に示されるように、プリンタ１は、印刷部（「画像形成部」の一例）２、通信部３ａ、画像メモリ３ｂ、表示部４、給紙部５、および電源システム７を含む。電源システム７は、電源部１０と制御装置５０とを含む。電源部１０は、プリンタ１の電源となる。また、電源部１０は、タワートレイ７０のタワートレイ制御部７１の電源ともなる。
【００３３】
印刷部２は、感光ドラム２ａ、感光ドラム２ａの表面を帯電させる帯電プロセスを実行する帯電器２ｂ、感光ドラム２ａの表面に静電潜像を形成する露光プロセスを実行する露光装置２ｃ、感光ドラム２ａの表面に形成された静電潜像に現像剤を付着させて現像剤像を形成する現像プロセスを実行する現像器２ｄ、印刷用紙に現像剤像を転写する転写プロセスを実行する転写器２ｅ、印刷用紙上に転写された現像剤像を定着させる定着プロセスを実行する定着器２ｆ、および搬送部２ｇ等から構成されている。
【００３４】
印刷部２は帯電プロセス、露光プロセス、現像プロセス、転写プロセス、定着プロセスを実行して、印刷用紙上に印刷データに基づく画像を印刷する印刷処理を実行するものである。通信部３ａはＰＣ等の情報端末装置との間で通信を行うものであり、情報端末装置から印刷指示や印刷データを受信する機能を担う。画像メモリ３ｂは、情報端末装置から受信した印刷データを一時記憶するものである。
【００３５】
表示部４は、印刷に係る情報を表示する。給紙部５は、給紙トレイ５Ａおよび給紙機構５Ｂを含む。給紙トレイ５Ａには印刷用紙が載置され、給紙機構５Ｂはピックアップローラおよび給紙ローラ等を含み、印刷用紙を搬送部６に供給する。
【００３６】
搬送部２ｇは、モータ、ギア、ソレノイド、搬送ローラ、およびベルト等を含み、給紙部５から給紙された印刷用紙を印刷部２の他の各部に搬送する。
【００３７】
上記プリンタ１は、通信部３ａが情報端末装置から印刷指示を受けて印刷データを受信すると、制御装置５０が、印刷部２に帯電プロセス、露光プロセス、現像プロセス、転写プロセス、定着プロセスからなる印刷処理を実行させることで、印刷用紙に印刷データに基づく画像を印刷させる。なお、印刷部２、特に搬送部２ｇ、および給紙部５の動作電圧は主に２４Ｖであるのに対して、通信部３ａ、画像メモリ３ｂおよび制御装置５０の動作電圧は主に３．３Ｖである。
【００３８】
なお、プリンタ１は、動作モードとして、レディモード、プリントモード、スリープモード、およびオフモードとを有する。レディモードとは、プリンタ１が印刷指示に応答して即座に印刷処理を実行できる状態にあるモードである。そのため、レディモードにおいては、電源システム７は動作しており、定着器２ｆは、詳しくは、定着器２ｆのヒータは、定着可能な温度或いは定着可能な温度よりやや低い温度に維持されるように通電制御されている。プリントモードとは、印刷部２が動作し、印刷ジョブを実行するモードである。
【００３９】
また、スリープモードとは、印刷処理を完了してから印刷指示が所定時間なくプリンタ１が待機状態にあるモードである。スリープモードでは、省電力のモードであり、詳細には後述するように、電源システム７は、その一部しか動作しておらず、定着器２ｆ、詳しくは、定着器２ｆのヒータは通電されていない。また、オフモードとは、スリープモードよりさらに省電力のモードであり、詳細には後述するように、電源システム７は、スリープモードよりさらにその一部しか動作していない。オフモードは、例えば、電源ボタンＳＷ１（図２参照）が押圧されることによって設定される。
【００４０】
１−２．タワートレイの構成
タワートレイ７０は、図１に示されるように、タワートレイ制御部（「オプション制御部」の一例）７１、タワートレイ低圧電源（「オプション電源」の一例）７２、給紙機構（「駆動負荷」の一例）７３、および複数の、本実施形態では４個の供給トレイ（Ｔ１−Ｔ４）を備える。また、図１および図２に示されるように、タワートレイ７０は、プラグ付き電源コード７５と、電源線ＳＬ１が接続される接続端子７６とを備える。
【００４１】
給紙機構７３は、供給モータ、ギア、ソレノイド、供給ローラ等を含む。給紙機構７３は、印刷部２と連携して駆動され、複数の供給トレイ（Ｔ１−Ｔ４）に載置された印刷用紙をプリンタ１に供給する。
【００４２】
タワートレイ低圧電源７２は、タワートレイ制御部７１の指示に基づいて、給紙機構７３に供給するＤＣ２４Ｖのオプション駆動用電圧を生成する。
【００４３】
また、本実施形態において、タワートレイ低圧電源７２の電源容量は、複数の給紙トレイ（Ｔ１−Ｔ４）の内、少なくとも一個の給紙トレイを駆動する電源容量に設定されている。複数の給紙トレイ（Ｔ１−Ｔ４）が同時に動くことは無いため、タワートレイ低圧電源７２の電源容量を、少なくとも一個の給紙トレイを駆動する電源容量に設定することによって、タワートレイ７０（オプション装置）を省電力化できるとともに、それによって、プリンタシステム１００も省電力化できる。
【００４４】
なお、タワートレイ低圧電源７２の電源容量は、これに限られず、例えば、二個以上の給紙トレイの駆動に対応した電源容量であってもよい。
【００４５】
タワートレイ制御部７１は、プリンタ１の電源部１０から、詳しくは、電源部１０の本体低圧電源２０（図２参照）から、制御用電圧出力端子８、電源線ＳＬ１および接続端子７６を介して、ＤＣ３．３Ｖの制御用電圧を供給される。タワートレイ制御部７１は、例えば、マイクロコンピュータ（ＭＣＵ）によって構成される。以下、タワートレイ制御部７１を「ＭＣＵ７１」と記載する。
【００４６】
２．電源システムの構成
次に、図２および図３を参照して、電源システム７の構成について説明する。電源システム７は、電源ボタン（「電源スイッチ」の一例）ＳＷ１、電源部１０、および制御装置５０を含む。制御装置５０は、ＡＳＩＣ（「装置制御ＩＣ」の一例）５１および電源制御ＩＣ５２を含む。ここで、電源ボタンＳＷ１は、押下に応じてオン・オフが切替わる、言い換えれば、押下に応じてオン信号あるいはオフ信号を生成するソフトスイッチである（図６参照）。なお、電源スイッチはこれに限られず、機械的にオン・オフが切替わる機械スイッチであってもよい。
【００４７】
２−１．電源部
まず、電源部１０の構成について説明する。電源部１０は、図２に示されるように、本体低圧電源（「装置電源」の一例）２０および電源制御ＩＣ電源部（「補助電源」の一例）３０を含む。
【００４８】
本体低圧電源２０は、図３に示されるように、例えばスイッチング電源で構成され、整流平滑回路２１、制御ＩＣ２２、電圧発生回路２３、トランス２４、ＦＥＴ（電界効果トランジスタ）Ｑ１、整流平滑回路２５、電圧検出回路２６、およびＤＣ−ＤＣコンバータ２７を含む。
【００４９】
本体低圧電源２０は、交流電源ＡＣの交流電圧Ｖａｃを整流平滑化し、プリンタ１のレディモードおよびプリントモードにおいて、＋２４Ｖおよび＋３．３Ｖの直流電圧を生成する。＋２４Ｖの直流電圧（以下「ＤＣ２４Ｖ」と記す）は第１出力端子ＯＵＴ１から出力され、＋３．３Ｖの直流電圧（以下「ＤＣ３．３Ｖ」と記す）は第２出力端子ＯＵＴ２から出力される。また、プリンタ１のスリープモードにおいて、省電力のために、＋６Ｖの直流電圧およびＤＣ３．３Ｖを生成し、ＤＣ６Ｖは、ＤＣ３．３Ｖとして第２出力端子ＯＵＴ２から出力される。
【００５０】
整流平滑回路２１は、いわゆるコンデンサインプット型であり、交流電源ＡＣの交流電圧Ｖａｃ（例えば、２４０Ｖ）を整流するブリッジダイオードおよび整流後の電圧を平滑化するコンデンサを含む。整流平滑回路２１の出力は、トランス２４の一次コイルに印加される。
【００５１】
トランジスタＱ１はＮチャンネルのＭＯＳＦＥＴであり、制御ＩＣ２２からゲートにオン・オフ信号（ＰＷＭ信号）が与えられることにより、オン・オフ動作する。これにより、トランス２４の一次側が発振して、トランス２４の二次コイルに電圧を誘起させる。
【００５２】
また、トランス２４の一次側には電圧発生回路２３が設けられている。電圧発生回路２３は、トランス２４の一次側に設けられた補助コイルに誘起される電圧を整流平滑化して、制御ＩＣ２２用の電源電圧Ｖｃｃを生成する。
【００５３】
整流平滑回路２５はトランス２４の二次コイルに誘起された電圧を整流平滑化してＤＣ２４Ｖ（「装置駆動用電圧」の一例）を生成する。
【００５４】
電圧検出回路２６は、フォトカプラＰＣ１を含み、本体低圧電源２０のＤＣ２４Ｖ出力の検出レベルに応じて、フォトカプラＰＣ１の発光ダイオードＬＥＤ１を発光させる。フォトカプラＰＣ１は、制御ＩＣ２２のフィードバックポートＦＢに接続されたフォトトランジスタＰＴ１を含む。そのため、発光ダイオードＬＥＤ１の光信号はフォトトランジスタＰＴ１にて電気信号に戻され、ＤＣ２４Ｖ出力の検出値が制御ＩＣ２２のフィードバックポートＦＢにフィードバックされる。
【００５５】
ＤＣ−ＤＣコンバータ２７は、ＤＣ２４ＶをＤＣ３．３Ｖ（「制御用電圧」の一例）に変換して出力する。
【００５６】
制御ＩＣ２２は、制御入力ポートＥＮに入力される電源制御信号ＰＳ−ＯＮ／ＯＦＦに応じて、出力ポートＯＵＴから出力するトランジスタＱ１へのオン・オフ信号を制御し、トランス２４の一次側の発振を制御する。すなわち、制御ＩＣ２２は、後述する電源制御ＩＣ５２からの電源制御信号ＰＳ−ＯＮ／ＯＦＦ（図６参照）に応じて、本体低圧電源２０のオン状態とオフ状態とを切替える。
【００５７】
ここで、本体低圧電源２０のオン状態においては、トランス２４の一次側を発振させて、本体低圧電源２０が出力状態にあり、オン状態は、プリンタ１のレディモード、プリントモード、およびスリープモードに対応する。レディモードおよびプリントモードにおいては、ＤＣ２４ＶおよびＤＣ３．３Ｖが出力され、スリープモードにおいては、ＤＣ３．３Ｖが出力される。
【００５８】
一方、オフ状態においては、トランス２４の発振を停止させて本体低圧電源２０の出力が停止する出力停止状態にあり、オフ状態は、プリンタ１のオフモードに対応する。
【００５９】
また、入力ポートＶＨには、本体低圧電源２０の始動時に、制御ＩＣ２２の電源電圧が供給される。
【００６０】
なお、タワートレイ低圧電源７２も、例えば、本体低圧電源２０と同様に、スイッチング電源で構成され、本体低圧電源２０と同様な、整流平滑回路、制御ＩＣ、電圧発生回路、トランス、ＦＥＴ、整流平滑回路、および電圧検出回路等を含む。その際、タワートレイ低圧電源７２の制御ＩＣは、後述するように、タワートレイ制御部７１からの制御信号によって、スイッチング電源の発振のオン・オフ、言い換えれば、タワートレイ低圧電源７２のオン・オフを制御する。また、タワートレイ低圧電源７２の制御ＩＣは、そのオン・オフの完了情報をタワートレイ制御部７１に供給する。
【００６１】
２−２．電源制御ＩＣ電源部
電源制御ＩＣ電源部３０は、本体低圧電源２０より電源容量の小さい小容量電源であり、本体低圧電源２０の起動状態にかかわらず、言い換えれば、プリンタ１のモードにかかわらず、電源制御ＩＣ５２に電力を供給する。詳しくは、電源制御ＩＣ電源部３０は、各モードにおいて、交流電源ＡＣから制御装置５０の電源制御ＩＣ５２および制御信号伝送部５３に電力を供給する。
【００６２】
電源制御ＩＣ電源部３０は、例えば、図３に示されるように、第１コンデンサＣ１、第２コンデンサＣ２、整流回路３１、ツェナーダイオードＺＤ１、平滑コンデンサＣ３、ＤＣ−ＤＣコンバータ３２、および蓄電用コンデンサＣ４を含む。
【００６３】
整流回路３１は、第１コンデンサＣ１と第２コンデンサＣ２との間に電気的に接続され、両コンデンサＣ１、Ｃ２に印加される交流電圧Ｖａｃを整流する。整流回路８１は、４個のダイオードＤ１，Ｄ２，Ｄ３，Ｄ４からなるブリッジ回路によって構成される。
【００６４】
また、ダイオードＤ３およびダイオードＤ４のアノードは、基準電位配線Ｌｇｄに接続される。なお、本実施形態では、電源部１０はフレーム接地されており、それにより基準電位配線Ｌｇｄも接地され、基準電位配線Ｌｇｄの電位は０Ｖである。
【００６５】
平滑コンデンサＣ３は、整流回路３１に接続され、整流された交流電圧を平滑して平滑電圧Ｖｃｈ（例えば、ＤＣ５Ｖ）を生成する。ツェナーダイオードＺＤ１は、交流電源ＡＣの交流電圧Ｖａｃが上昇した場合に、平滑電圧Ｖｃｈの上昇を抑制するためのものである。
【００６６】
ＤＣ−ＤＣコンバータ３２は、平滑電圧ＶｃｈをＤＣ３．３Ｖに変換する。ＤＣ３．３Ｖは、電源制御ＩＣ５２および制御信号伝送部５３に供給される。
【００６７】
蓄電用コンデンサＣ４は、ＤＣ−ＤＣコンバータ３２からのＤＣ３．３Ｖによって充電される。充電電力は、オフモードからレディモードに切り換わる際等に、フォトカプラＰＣ２のＬＥＤ２の駆動電流に使用される。また、平滑コンデンサＣ３および蓄電用コンデンサＣ４の容量を適宜に選定することによって、オフモードにおいて、所定電圧の必要に応じた電力量を蓄電することができる。
【００６８】
２−３．制御装置
次に、制御装置５０の構成について説明する。制御装置５０は、図３に示されるように、ＡＳＩＣ（特定用途向けＩＣ）５１、電源制御ＩＣ５２、制御信号伝送部５３、および、メモリ５４を含む。
【００６９】
ＡＳＩＣ（「装置制御ＩＣ」の一例）５１は、主に、プリンタ１の印刷部２を制御する。ＡＳＩＣ５１はタイマ５１Ａを含み、タイマ５１Ａは、レディモードからスリープモードに移行する際の時間計測等に利用される。
【００７０】
ＡＳＩＣ５１は、オフモード以外において、電源として、本体低圧電源２０のＤＣ−ＤＣコンバータ２７からＤＣ３．３Ｖを受け取る。すなわち、ＡＳＩＣ５１はオフモード以外において電力が供給されて動作状態となり、本体低圧電源２０が出力停止、すなわち、オフ状態に移行すると、電力の供給が断たれて停止状態になる。
【００７１】
電源制御ＩＣ５２は、電圧検出回路５２ＡおよびＡＳＩＣリセット部５２Ｂを含む。また、電源制御ＩＣ５２のポートＰ１は抵抗Ｒ１を介してＤＣ−ＤＣコンバータ２７のＯＵＴ２に接続され、電源制御ＩＣ５２は、ＤＣ３．３Ｖを検出して、本体低圧電源２０の出力を監視する。また、電源制御ＩＣ５２の電源ポートＰ２は、電源制御ＩＣ電源部３０の出力側に接続されており、プリンタ１のモードにかかわらず、電源制御ＩＣ電源部３０から電力が供給される。電源制御ＩＣ５２は、プリンタ１のモード切り換えに応じて、本体低圧電源２０を動作させる動作モードと、本体低圧電源２０の発振を停止させる停止モードとに切り換え制御する。
【００７２】
すなわち、電源制御ＩＣ５２は、制御ＩＣ２２に対して電源制御信号ＰＳ−ＯＮ／ＯＦＦを出力することにより、本体低圧電源２０をオン状態とオフ状態とに切り換える（図６参照）。なお、電源制御ＩＣ５２および制御信号伝送部５３には、本体低圧電源２０のオン・オフ状態にかかわらず、電源制御ＩＣ電源部３０から電力が供給される。
【００７３】
制御信号伝送部５３は、フォトカプラＰＣ２の発光ダイオードＬＥＤ２およびトランジスタＱ２を含む。発光ダイオードＬＥＤ２のアノードは、電源制御ＩＣ電源部３０からのＤＣ３．３Ｖの電源ラインに接続されている。
【００７４】
発光ダイオードＬＥＤ２は、本体低圧電源２０の制御ＩＣ２２の制御入力ポートＥＮに接続されたフォトトランジスタＰＴ２と共に、フォトカプラＰＣ２を構成している。そのため、電源制御ＩＣ５２の制御ポートＰ３からトランジスタＱ２のベースに電源制御信号ＰＳ−ＯＮ／ＯＦＦが出力されると、電源制御信号ＰＳ−ＯＮ／ＯＦＦは、フォトカプラＰＣ２を介して光伝送され、制御ＩＣ２２の制御入力ポートＥＮに入力される。
【００７５】
メモリ５４は、ＲＯＭおよびＲＡＭを含む。ＲＯＭには、ＡＳＩＣ５１が実行する各種プログラムが格納され、ＲＡＭにはプログラムが実行される際の各種データが格納される。
【００７６】
なお、ユーザは、電源ボタンＳＷ１によって、電源制御ＩＣ５２に、本体低圧電源２０のオン・オフ状態の切り換えを指示することができる。
【００７７】
また、図２に示されるように、プリンタシステム１００、あるいはプリンタ１は、プリンタ１とタワートレイ７０とを接続する専用電源コード７Ａを備え、タワートレイ７０は、専用電源コード７Ａが接続される接続部７４、およびプラグ付き電源コード７５を備える。そして、プリンタシステム１００を使用する際、タワートレイ７０のプラグ付き電源コード７５が交流電源ＡＣに接続され、専用電源コード７Ａを接続部７４に接続し、プリンタ１は専用電源コード７Ａを介して交流電源ＡＣに接続される。この場合、プリンタシステム１００を交流電源ＡＣへ接続する際の、電源コードの引き回しが簡易化される。
【００７８】
なお、プリンタシステム１００の交流電源ＡＣへの接続態様はこれに限られない。例えば、電源システム７とタワートレイ７０とは、個別に交流電源ＡＣに接続されるようにしてもよい。
【００７９】
３．電源投入時および電源オフ時の電源制御シーケンス
次に、図４から図６を参照して、プリンタ１の電源投入時および電源オフ時に係る制御シーケンスを説明する。
【００８０】
３−１．電源投入時の制御シーケンス
今、プリンタ１に交流電源ＡＣが供給された状態において、図６の時刻ｔ０において、プリンタ１の電源ボタンＳＷ１がユーザによって押されたとする（ステップＳ１０）。
【００８１】
電源制御ＩＣ５２は、電源ボタンＳＷ１の押下（オン・オフ）を検出する検出処理（「押下検出処理」の一例）を実行し、電源ボタンＳＷ１のオンを検出する場合（ステップＳ１５）、本体低圧電源２０を起動するハイレベルの電源制御信号ＰＳ−ＯＮ／ＯＦＦを生成する。そして、電源制御ＩＣ５２は、制御信号伝送部５３を介して本体低圧電源２０に電源制御信号ＰＳ−ＯＮ／ＯＦＦを送信し、本体低圧電源２０を起動する（ステップＳ２０：「装置電源起動処理」の一例）。ここで、ハイレベルの電源制御信号ＰＳ−ＯＮ／ＯＦＦは、「装置電源起動信号」の一例である。
【００８２】
このように、電源制御ＩＣ５２は、電源制御ＩＣ電源部３０からの電力供給によって、本体低圧電源２０が起動していなくても電源ボタンＳＷ１の押下（オン）を検出することができる。そのため、本体低圧電源２０が起動していないと電源ボタンＳＷ１の押下（オン）を検出することができない構成に比べて省電力である。また、後述するように、プリンタ１の有する電源ボタンＳＷ１を押下することで、タワートレイ７０のタワートレイ低圧電源７２を起動することができる。
【００８３】
本体低圧電源２０が起動すると、本体低圧電源２０は、パワー系の電圧であるＤＣ２４Ｖ（「装置駆動用電圧」の一例）、およびロジック系の電圧であるＤＣ３．３Ｖ（「制御用電圧」の一例）を生成し、ＤＣ３．３Ｖを、ＡＳＩＣ５１およびＭＣＵ７１に供給する（ステップＳ３０：図６の時刻ｔ１参照）。ＤＣ３．３Ｖの供給によって、各クロック信号生成回路（図示せず）によって、ＡＳＩＣ−ＣＬＫ信号およびＭＣＵ−ＣＬＫ信号が生成される。
【００８４】
そして、電源制御ＩＣ５２の電圧検出回路５２ＡがＤＣ３．３Ｖを検出した後の時刻ｔ２において、電源制御ＩＣ５２のＡＳＩＣリセット部５２Ｂは、ＡＳＩＣ５１を起動するハイレベルのＡＳＩＣリセット信号ＡＳＩＣ−ＲＳＴをＡＳＩＣ５１に送信する。これによってＡＳＩＣ５１の起動が完了する（ステップＳ４０）。
【００８５】
ＡＳＩＣ５１が起動すると、ＡＳＩＣ５１は、ＭＣＵ７１を起動するハイレベルのＭＣＵリセット信号ＭＣＵ−ＲＳＴを、通信線ＣＬ３を介してＭＣＵ７１に送信して、ＭＣＵ７１を起動する（ステップＳ５０：「オプション制御部起動処理」の一例：時刻ｔ３参照）。これによってＭＣＵ７１の起動が完了する（ステップＳ６０）。ここで、ハイレベルのＭＣＵリセット信号ＭＵＣ−ＲＳＴは、「オプション制御部起動信号」の一例である。
【００８６】
このように、ＡＳＩＣ５１およびＭＣＵ７１に、本体低圧電源２０から共通して制御用電圧（ＤＣ３．３Ｖ）を供給される構成であっても、本体低圧電源２０が起動した後、ＡＳＩＣ５１からのハイレベルのＭＣＵリセット信号ＭＵＣ−ＲＳＴをトリガーとしてＭＣＵ７１を起動することができる。
【００８７】
ＭＣＵ７１が起動すると、ＭＣＵ７１は、起動したことを示す起動完了コマンドＫＣ（「起動完了信号」の一例）を、通信線ＣＬ２を介してＡＳＩＣ５１に送信する（ステップＳ６２：「起動完了処理」の一例：時刻ｔ４参照）。すると、ＡＳＩＣ５１は、起動完了コマンドＫＣの受信に応じて、通信線ＣＬ１を介してＭＣＵ７１に、電源起動許可コマンドＰＲＭＴ（「電源起動許可信号」、「切替指示信号」の一例）を送信する（「起動許可処理」の一例：時刻ｔ５参照）。
【００８８】
すると、ＭＣＵ７１は、電源起動許可コマンドＰＲＭＴの受信に応じて、タワートレイ低圧電源７２を起動するハイレベルのタワートレイ電源起動信号ＴＴＳ−ＯＮ／ＯＦＦ（「オプション電源起動信号」の一例）を生成し、起動信号ＴＴＳ−ＯＮ／ＯＦＦをタワートレイ低圧電源７２に送信し、タワートレイ低圧電源７２を起動する（ステップＳ７０：「オプション電源起動処理」の一例：時刻ｔ６参照）。これによって、タワートレイ７０の給紙機構７３に含まれる、供給モータおよびソレノイド（「駆動負荷」の一例）に供給する、ＤＣ２４Ｖのタワートレイ駆動用電圧（「オプション駆動用電圧」の一例）が生成される（時刻ｔ７参照）。これによって、プリンタシステム１００の起動が完了する（ステップＳ８０）。
【００８９】
このように、本実施形態では、ＭＣＵ７１の起動をＡＳＩＣ５１が確認してから、タワートレイ低圧電源７２（オプション電源）が起動されるため、タワートレイ低圧電源７２の起動の信頼性が向上する。
【００９０】
３−２．電源オフ時の制御シーケンス
今、プリンタシステム１００の起動中の、図６の時刻ｔ８において、プリンタ１の電源ボタンＳＷ１がユーザによって押下（オフ）されたとする（ステップＳ１１０）。
【００９１】
電源制御ＩＣ５２は、電源ボタンＳＷ１の押下を検出する検出処理（「押下検出処理」の一例）によって、電源ボタンＳＷ１のオフを検出（ステップＳ１１２）し、電源ボタンＳＷ１が押下されたことを示す第１ＯＦＦコマンド（ＯＦＦ指令）を、ＡＳＩＣ５１に送信する（ステップＳ１１４：「押下信号送信処理」の一例）。ここで、第１ＯＦＦコマンドは「押下信号」の一例である。
【００９２】
ＡＳＩＣ５１は第１ＯＦＦコマンドを受け取ると、タワートレイ低圧電源７２を停止する第２ＯＦＦコマンド（ＯＦＦ指令）を、通信線ＣＬ１を介してＭＣＵ７１に送信する（ステップＳ１２０：「起動停止処理」の一例：時刻ｔ９参照）。第２ＯＦＦコマンドは、「電源起動停止信号」および「切替指示信号」の一例である。
【００９３】
ＭＣＵ７１は、第２ＯＦＦコマンドを受け取ると、ローレベルのタワートレイ低圧電源信号ＴＴＳ−ＯＮ／ＯＦＦ（「オプション電源停止信号」の一例）をタワートレイ低圧電源７２に送信する（ステップＳ１３０：「オプション電源切替処理」の一例：時刻ｔ１０参照）。
【００９４】
タワートレイ低圧電源７２は、ローレベルのタワートレイ低圧電源信号ＴＴＳ−ＯＮ／ＯＦＦを受け取ると、動作を停止し、停止したことをＭＣＵ７１に知らせる（ステップＳ１４０）。
【００９５】
ＭＣＵ７１は、タワートレイ低圧電源７２の停止に応じて、通信線ＣＬ２を介して、ＡＳＩＣ５１にタワートレイ低圧電源７２が停止したことを示す停止完了コマンドＳＣ（「停止完了信号」の一例）を送信する（ステップＳ１５０：「停止完了処理」の一例：ｔ１１参照）。
【００９６】
ＡＳＩＣ５１は、停止完了コマンドＳＣを受け取ると、ＭＣＵ７１を停止（リセット）する、ローレベルのＭＣＵリセット信号ＭＣＵ−ＲＳＴをＭＣＵ７１に送信して、ＭＣＵ７１をリセットする（時刻ｔ１２参照）。これにより、ＭＣＵ７１は動作を停止（リセット）する（ステップＳ１６０）。また、ＡＳＩＣ５１は、本体低圧電源２０を停止するＰＳ−ＯＦＦコマンド（「第１装置電源停止信号」の一例）を電源制御ＩＣ５２に送信する（ステップＳ１７０：「第１装置電源停止処理」の一例：ｔ１３参照）。
【００９７】
なお、ＭＣＵ７１をリセットするステップＳ１６０の処理は省略されてもよい。本体低圧電源２０が停止した後、ＤＣ３．３Ｖ→０Ｖになって、ＡＳＩＣリセット信号ＡＳＩＣ−ＲＳＴがローレベルになるとき、ＭＣＵリセット信号ＭＣＵ−ＲＳＴは、外付けのプルダウン抵抗があれば、自動的にローレベルになってリセットされるからである。
【００９８】
電源制御ＩＣ５２は、ＰＳ−ＯＦＦコマンドを受け取ると、本体低圧電源２０を停止するローレベルの電源制御信号ＰＳ−ＯＮ／ＯＦＦ（「第２装置電源停止信号」の一例）を生成する（時刻ｔ１１参照）。そして、電源制御ＩＣ５２は、ローレベルの電源制御信号ＰＳ−ＯＮ／ＯＦＦを、制御信号伝送部５３を介して本体低圧電源２０に送信し、本体低圧電源２０を停止させる（ステップＳ１８０：「第２装置電源停止処理」の一例：ｔ１４参照）。このように、本実施形態では、タワートレイ低圧電源７２の停止を確認してから（ステップＳ１４０）、本体低圧電源２０を停止できる（ステップＳ１８０）。
【００９９】
また、電源制御ＩＣ５２は、電圧検出回路５２Ａにて検出する電圧値（ＤＣ３．３Ｖ）が規定値（例えば、２．５Ｖ）まで低下した場合、ＡＳＩＣ５１に、ローレベルのＡＳＩＣリセット信号ＡＳＩＣ−ＲＳＴを送信する（ステップＳ１９０：「リセット処理」の一例）。これによって、ＡＳＩＣ５１は動作を停止する（時刻ｔ１５参照）。この場合、電源電圧（ＤＣ３．３Ｖ）の低下を確認してから、すなわち、本体低圧電源２０の動作停止を確認してから、ＡＳＩＣ５１をリセット（オフ）できる。
【０１００】
以上によって、電源制御ＩＣ５２に電力を供給する電源制御ＩＣ電源部３０を除き、プリンタシステム１００の電源がオフされる（ステップＳ１９５）。
【０１０１】
４．モード移行時の電源制御シーケンス
次に、図７を参照して、プリンタ１のモード移行に関連する電源制御シーケンスを説明する。
【０１０２】
現在、プリンタ１がレディモード（Ｒｅａｄｙ  Ｍｏｄｅ）である場合（ステップＳ２０５参照）において、あるいは、スリープモード（Ｓｌｅｅｐ  Ｍｏｄｅ）である場合（ステップＳ２６０参照）において、ＡＳＩＣ５１は、通信部３ａを介して、印刷ジョブを受信したか否か、すなわち、印刷要求があったか否かを判定する（ステップＳ２１０）。なお、印刷要求は、コピー要求や、プリンタ本体に装着された可搬性メモリ内のデータを印刷する要求等でもよい。
【０１０３】
ＡＳＩＣ５１は、印刷ジョブを受信したと判定した場合（ステップＳ２１０：ＹＥＳ）、現在、スリープモードにあるか否かを判定する（ステップＳ２１５）。現在、スリープモードにあると判定した場合（ステップＳ２１５：ＹＥＳ）、ＡＳＩＣ５１は、通信線ＣＬ１を介して、ＭＣＵ７１に、タワートレイ低圧電源７２を起動するためのＷａｋｅ−ｕｐ信号（「電力復帰信号」、「切替指示信号」の一例）を送信する（ステップＳ２２０）。
【０１０４】
ＭＣＵ７１は、ＡＳＩＣ５１からＷａｋｅ−ｕｐ信号を受信すると、ステップＳ７０と同様に、ハイレベルのタワートレイ電源起動信号ＴＴＳ−ＯＮ／ＯＦＦ（「オプション電源起動信号」の一例）をタワートレイ低圧電源７２に供給し、タワートレイ低圧電源７２を起動する（ステップＳ２２５）。ステップＳ２２０およびステップＳ２２５の処理は、「電力復帰処理」の一例である。
【０１０５】
次いで、ＡＳＩＣ５１は、モードをプリントモード（Ｐｔｉｎｔ  Ｍｏｄｅ）に設定し（ステップＳ２３０）、定着器２ｆの加熱の印刷準備を開始する。次いで、ＡＳＩＣ５１は、印刷部２を制御して印刷動作を開始し（ステップＳ２３５：「画像形成処理」の一例）、印刷ジョブが完了すると（ステップＳ２４０）、レディモードに戻る（ステップＳ２０５）。
【０１０６】
一方、ステップＳ２１５において、ＡＳＩＣ５１は、現在、スリープモードにないと判定した場合、すなわち、現在、レディモードにある場合と判定した場合（ステップＳ２１５：ＮＯ）、ステップＳ２３０の処理に移行する。
【０１０７】
また、ステップＳ２１０において、印刷ジョブを受信していないと判定した場合（ステップＳ２１０：ＮＯ）、ＡＳＩＣ５１は、現在、スリープモードにあるか否かを判定する（ステップＳ２５０）。スリープモードにあると判定した場合（ステップＳ２５０：ＹＥＳ）、ステップＳ２１０の処理に戻る。
【０１０８】
一方、現在、スリープモードにないと判定した場合、すなわち、現在、レディモードにある場合と判定した場合（ステップＳ２５０：ＮＯ）、ＡＳＩＣ５１は、印刷処理を実行しない非動作の累積時間が所定時間になるか否かを、例えば、タイマ５１Ａの計時時間に基づいて判定する（ステップＳ２５５）。累積時間が所定時間になっていないと判定した場合（ステップＳ２５５：ＮＯ）、ステップＳ２１０に戻る。一方、累積時間が所定時間になったと判定した場合（ステップＳ２５５：ＹＥＳ）、ＡＳＩＣ５１は、通信線ＣＬ１を介して、ＭＣＵ７１に対してスリープ指令（Ｓｌｅｅｐ：「スリープ移行信号」、「切替指示信号」の一例）を送信する（ステップＳ２６０：「スリープ移行処理」の一例）。
【０１０９】
ＭＣＵ７１は、スリープ指令を受け取ると、ステップＳ１３０と同様に、ローレベルのタワートレイ低圧電源信号ＴＴＳ−ＯＮ／ＯＦＦ（「オプション電源停止信号」の一例）をタワートレイ低圧電源７２に送信する（ステップＳ２６５）。
【０１１０】
タワートレイ低圧電源７２は、ステップＳ１４０と同様に、ローレベルのタワートレイ低圧電源信号ＴＴＳ−ＯＮ／ＯＦＦを受け取ると、動作を停止し、停止したことをＭＣＵ７１に知らせる（ステップＳ２７０）。
【０１１１】
ＭＣＵ７１は、ステップＳ１５０と同様に、タワートレイ低圧電源７２の停止に応じて、通信線ＣＬ２を介して、タワートレイ低圧電源７２が停止したことを示す停止完了コマンドＳＣを、ＡＳＩＣ５１に送信する（ステップＳ２７５：「停止完了処理」の一例）。
【０１１２】
停止完了コマンドＳＣの受信に応じて、タワートレイ低圧電源７２の動作が停止されたことを確認すると、ＡＳＩＣ５１は、スリープモードに移行し、スリープモードにおいて、印刷部２を制御する（ステップＳ２８０：「低消費駆動処理」の一例）。その際、ユーザインターフェイス、例えば、表示部４にスリープモードである旨を表示する。これによって、プリンタ１は、スリープモードに移行し（ステップＳ２８５）、処理はステップＳ２１０に戻る。
【０１１３】
５．実施形態の効果
タワートレイ低圧電源７２の動作状態の切替は、プリンタ１からタワートレイ制御部（ＭＣＵ）７１に、電源線ＳＬ１を介して制御用電圧（ＤＣ３．３Ｖ）を供給し、ＭＣＵ７１が起動した後、ＭＣＵ７１によって行われる。すなわち、プリンタ１とタワートレイ低圧電源７２とを直接接続する専用の接続線でプリンタ１とタワートレイ７０（オプション装置）とを接続することなく、タワートレイ低圧電源７２の動作状態を切替えることができる。それによって、タワートレイ低圧電源７２を有するタワートレイ７０を使う際の、プリンタ１の構成の簡易化を実現できる。
【０１１４】
電源制御ＩＣ電源部３０は、本体低圧電源２０の起動状態にかかわらず、電源制御ＩＣ５２に電力を供給する。そのため、本体低圧電源２０を起動しなくても、電源制御ＩＣ５２を動作させ、電源制御ＩＣ５２によって、押下検出処理（ステップＳ１０）と、装置電源起動処理（ステップＳ２０）とを実行させ、プリンタシステム１００を、省電力によって起動させることができる。
【０１１５】
＜他の実施形態＞
本発明は上記記述及び図面によって説明した実施形態に限定されるものではなく、例えば次のような実施形態も本発明の技術的範囲に含まれる。
【０１１６】
（１）上記実施形態においては、ＡＳＩＣ（装置制御部）５１は、電源に関するタワートレイ制御部７１（オプション制御部）からの信号、例えば、タワートレイ低圧電源７２が起動したことを示す信号によって、プリンタ１に接続されるトレイが、タワートレイ低圧電源７２（オプション電源）を有する電源付きのタワートレイ７０か、タワートレイ低圧電源７２を有さない電源無しのトレイかを識別する識別処理を実行するようにしてもよい。この場合、ＡＳＩＣ５１は、プリンタ１に接続されるトレイが負荷駆動用電圧を生成するタワートレイ低圧電源７２を有するか否かを簡易に識別でき、その後、識別にしたがった電源制御を行える。
【０１１７】
（２）上記実施形態において、図１および図２の点線で示されるように、プリンタ１は、駆動用電圧（ＤＣ２４Ｖ）を、タワートレイ低圧電源７２（オプション電源）を有さない電源無しのトレイ（オプション装置）に出力する駆動用電圧出力端子９を有し、本体低圧電源２０（装置電源）は、電源容量として、少なくとも電源無しのトレイを駆動する電源容量を有するようにしてもよい。この場合、プリンタ１は、タワートレイ低圧電源７２（オプション電源）を有さないトレイ（オプション装置）にも対応できる。この構成においては、上記の、タワートレイ低圧電源７２の起動および停止に係る制御は、すべて省略される。また、プリンタ１のレディモードおよびプリントモードにおいて、本体低圧電源２０から電源無しのトレイに駆動用電圧が供給される。
【０１１８】
（３）上記実施形態においては、装置制御部５０を、装置制御ＩＣ（５１：ＡＳＩＣ）と電源制御ＩＣ５２とに分離して二個のＩＣで構成する例を示したが、これに限られず、装置制御部５０は、一個のＩＣで構成するようにしてもよい。
【０１１９】
（４）上記実施形態において、タワートレイ制御部７１（オプション制御部）は、画像形成部と連携して、給紙機構７３に含まれる給紙モータおよびソレノイドの駆動を制御するようにしてもよい。この場合、装置制御部５０の制御負荷を低減できる。
【０１２０】
（５）上記実施形態においては、オプション装置がタワートレイ７０である例を示したが、これに限られない。オプション装置は、例えば、ファクシミリ装置や、印刷した用紙を排紙する排紙装置等であってもよい。
【０１２１】
（６）本発明は、プリンタ１は給紙トレイ５Ａを有さず、タワートレイを必ず使用するような形態にも適用できる。
【符号の説明】
【０１２２】
１…プリンタ、２…印刷部、７…電源システム、２０…本体低圧電源、３０…電源制御ＩＣ電源、５１…ＡＳＩＣ、５２…電源制御ＩＣ、７０…タワートレイ、７１…タワートレイ制御部（ＭＵＣ）、７２…タワートレイ低圧電源、１００…プリンタシステム、ＳＷ１…電源ボタン
【図１】
2015182285.tif 000003
【図２】
2015182285.tif 000004
【図３】
2015182285.tif 000005
【図４】
2015182285.tif 000006
【図５】
2015182285.tif 000007
【図６】
2015182285.tif 000008
【図７】
2015182285.tif 000009